(57)【要約】【課題】壁パネルの連結部材に組み合わされて、その連結状態をより安定的に維持し得るクリップを提供する。【解決手段】壁パネルＰの一方の側端部Ｐａに対する当接部を備えた第一連結材８に対し、第一連結材８の内側にあって壁パネルＰの他方の側端部Ｐａに対する当接部を備えた第二連結材１９を、第一連結材８の当接部９と第二連結材１９の当接部２０との間に隣り合う壁パネルＰ、Ｐの両側端部Ｐａを導入した状態から両当接部間の距離を狭める向きの締め込み移動操作可能に組み合わせてなる壁パネルＰの連結部材７にはめ込まれて連結部材７による壁パネルＰ同士の連結状態を維持するクリップ１である。連結部材７の上端側から連結部材７内に入り込んで両当接部間の距離を拡大する向きの第二連結材１９の移動を阻止する規制部２と、連結部材７側に形成された被係合部３に対する係合部３とを備えてなる。【選択図】図１５
2020084627.tif 000002
【特許請求の範囲】
【請求項１】
隣り合う壁パネルの一方の側端部に対する当接部を備えた第一連結材に対し、前記第一連結材の内側にあって隣り合う壁パネルの他方の側端部に対する当接部を備えた第二連結材を、前記第一連結材の前記当接部と前記第二連結材の前記当接部との間に隣り合う前記壁パネルの両前記側端部を導入した状態から両前記当接部間の距離を狭める向きの締め込み移動操作可能に組み合わせてなる壁パネルの連結部材にはめ込まれて前記連結部材による前記壁パネル同士の連結状態を維持するクリップであって、
前記連結部材の上端側から前記連結部材内に入り込んで両前記当接部間の距離を拡大する向きの前記第二連結材の移動を阻止する規制部と、
前記連結部材側に形成された被係合部に対する係合部とを備えてなる、クリップ。
【請求項２】
前記はめ込み状態において第二連結材の上端上に位置される頭部を備えてなる、請求項１に記載のクリップ。
【請求項３】
前記はめ込み状態において前記第一連結材の外面側に位置される基部を備えてなる、請求項１に記載のクリップ。
【請求項４】
前記はめ込み状態において前記規制部は前記第一連結材の内面側に位置されるようにしてなる、請求項３に記載のクリップ。
【請求項５】
前記はめ込み状態において、前記規制部との間に前記第二連結材を位置させるようにした状態で、前記第一連結材の内面側に位置される脚部を備えてなる、請求項４に記載のクリップ。
【請求項６】
前記基部に、前記係合部を備えさせてなる、請求項３〜請求項５のいずれか１項に記載のクリップ。
【請求項７】
前記係合部は弾性片に形成されていると共に、前記弾性片に上方からの前記弾性片の弾性変形操作を可能とする操作片を備えさせてなる、請求項１〜請求項６のいずれか１項に記載のクリップ。
【発明の詳細な説明】
【技術分野】
【０００１】
この発明は、壁パネル同士を連結させる壁パネルの連結部材にはめ込まれて、これによる連結状態を安定的に維持させるために用いられるクリップに関する。
【背景技術】
【０００２】
隣り合う壁パネルの一方の側端部に備えられたフレームへの係止部と、隣り合う壁パネルの他方の側端部に備えられたフレームへの係止部とを備えた固定金具によって両壁パネルをその背面側において連結すると共に、前記フレームと前記固定金具との間に楔を上方から圧入するようにした壁パネルの接続構造として、特許文献１に示されるものがある。
【先行技術文献】
【特許文献】
【０００３】
【特許文献１】実開平５−４０４１４号公報
【発明の概要】
【発明が解決しようとする課題】
【０００４】
この発明が解決しようとする主たる問題点は、この種の壁パネルの連結部材に組み合わされて、その連結状態をより安定的に維持し得るクリップを提供する点にある。
【課題を解決するための手段】
【０００５】
前記課題を達成するために、この発明にあっては、クリップを、  隣り合う壁パネルの一方の側端部に対する当接部を備えた第一連結材に対し、前記第一連結材の内側にあって隣り合う壁パネルの他方の側端部に対する当接部を備えた第二連結材を、前記第一連結材の前記当接部と前記第二連結材の前記当接部との間に隣り合う前記壁パネルの両前記側端部を導入した状態から両前記当接部間の距離を狭める向きの締め込み移動操作可能に組み合わせてなる壁パネルの連結部材にはめ込まれて前記連結部材による前記壁パネル同士の連結状態を維持するクリップであって、
前記連結部材の上端側から前記連結部材内に入り込んで両前記当接部間の距離を拡大する向きの前記第二連結材の移動を阻止する規制部と、
前記連結部材側に形成された被係合部に対する係合部とを備えてなる、ものとした。
【０００６】
前記締め込み移動操作の終了状態において、前記連結部材にクリップはめ込んだ状態は、クリップの係合部を連結部材側に形成された被係合部に係合させることで、維持される。これにより、連結部材内に入り込んだ規制部による連結部材における両前記当接部間の距離を拡大する向きの前記第二連結材の移動は抑止され、連結部材を介した隣り合う壁パネル同士の連結状態は安定的に維持される。
【０００７】
前記クリップに、前記はめ込み状態において第二連結材の上端上に位置される頭部を備えさせておくことが、この発明の態様の一つとされる。
【０００８】
また、前記クリップに、前記はめ込み状態において前記第一連結材の外面側に位置される基部を備えさせておくことが、この発明の態様の一つとされる。
【０００９】
また、前記はめ込み状態において前記規制部が前記第一連結材の内面側に位置されるようにしておくことが、この発明の態様の一つとされる。
【００１０】
また、前記クリップに、前記はめ込み状態において、前記規制部との間に前記第二連結材を位置させるようにした状態で、前記第一連結材の内面側に位置される脚部を備えておくことが、この発明の態様の一つとされる。
【００１１】
また、前記基部に前記係合部を備えさせておくことが、この発明の態様の一つとされる。
【００１２】
また、前記係合部を弾性片に形成させておくと共に、前記弾性片に上方からの前記弾性片の弾性変形操作を可能とする操作片を備えさせておくことが、この発明の態様の一つとされる。
【発明の効果】
【００１３】
この発明にかかるクリップによれば、前記壁パネルの連結部材へのはめ込み状態において、前記規制部によって隣り合う壁パネルの連結状態を低下させる向きの第二連結材の移動を効果的に抑止することができ、また、この抑止状態を前記係合部の係合により壁パネルに振動や衝撃が作用されても可及的に損なわれないようにすることができ、前記連結部材による壁パネルの連結状態を安定的に維持することができる。
【図面の簡単な説明】
【００１４】
【図１】図１は、実施の形態にかかる連結部材の斜視図であり、第一連結材の当接部と第二連結材の当接部との間の距離が最も広い状態を示しており、ａ図は図示しない壁パネル側から、ｂ図はその反対側から連結部材を示している。
【図２】図２は、図１の連結部材を構成する第一連結材の当接部と第二連結材の当接部との間に、隣り合う壁パネルの側端部を同時に導入した様子を示した要部破断斜視図である。
【図３】図３は、実施の形態にかかる連結部材の斜視図であり、第一連結材の当接部と第二連結材の当接部との間の距離が最も狭くなった状態を示しており、ａ図は図示しない壁パネル側から、ｂ図はその反対側から連結部材を示している。
【図４】図４は、図３の連結部材を構成する第一連結材の当接部と第二連結材の当接部とにより、隣り合う壁パネルの側端部を挟み付けた締め込み状態を示した要部破断斜視図である。
【図５】図５は、実施の形態にかかるクリップの斜視図であり、クリップを壁パネルに向けられる正面側から見て示している。
【図６】図６は、前記クリップの斜視図であり、クリップを図５と反対の背面側から見て示している。
【図７】図７は、前記クリップの正面図である。
【図８】図８は、前記クリップの平面図である。
【図９】図９は、前記クリップの背面図である。
【図１０】図１０は、前記クリップの底面図である。
【図１１】図１１は、前記クリップの左側面図である。
【図１２】図１２は、前記クリップの右側面図である。
【図１３】図１３は、図７におけるＡ−Ａ線位置での断面図である。
【図１４】図１４は、図７におけるＢ−Ｂ線位置での断面図である。
【図１５】図１５は、前記連結部材への前記クリップのはめ込み状態を示した斜視図であり、図示しない壁パネル側から見て示している。
【図１６】図１６は、前記連結部材への前記クリップのはめ込み状態を示した斜視図であり、第二連結材の記載を省略して、図示しない壁パネル側から見て示している。
【図１７】図１７は、前記連結部材への前記クリップのはめ込み状態を示した斜視図であり、図示しない壁パネルと反対の側から見て示している。
【図１８】図１８は、前記連結部材への前記クリップのはめ込み状態を示した断面図であり、前記クリップを底面側（下方）から見て示している。
【発明を実施するための形態】
【００１５】
以下、図１〜図１８に基づいて、この発明の典型的な実施の形態について、説明する。この実施の形態にかかるクリップ１は、典型的には、ユニットバスなどのユニットルームを構成する壁パネルＰ同士を連結させる壁パネルＰの連結部材７にはめ込まれて、これによる連結状態を安定的に維持させるために用いられるものである。
【００１６】
前記連結部材７は、第一連結材８と、第二連結材１９とから構成される。第一連結材８は隣り合う壁パネルＰ、Ｐの一方の側端部Ｐａに対する当接部９を備えている。また、第二連結材１９は、前記第一連結材８の内側にあって隣り合う壁パネルＰ、Ｐの他方の側端部Ｐａに対する当接部２０を備えている。第一連結材８に対し、第二連結材１９は、前記第一連結材８の前記当接部９と前記第二連結材１９の前記当接部２０との間に隣り合う前記壁パネルＰの両前記側端部Ｐａ、Ｐａを導入した状態から両前記当接部９、２０間の距離を狭める向きの締め込み移動操作可能に組み合わされている。
【００１７】
図１〜図４に、前記壁パネルＰ、および、前記連結部材７の一例を示す。
【００１８】
壁パネルＰは、上下方向に亘る側端部Ｐａに、被当接部Ｐｂを備えた構成となっている。被当接部Ｐｂは、壁パネルＰのパネル面Ｐｆに対し直交する向きに室外側（図２の上側）に突き出す第一部分Ｐｃと、第一部分Ｐｃの突き出し端との間に屈曲部を作って壁パネルＰの中央側に向けて突き出す第二部分Ｐｄと、第二部分Ｐｄの突き出し端との間に屈曲部を作って第一部分Ｐｃの根元側に向けて突き出す第三部分Ｐｅとを備えている。
【００１９】
隣り合う壁パネルＰ、Ｐ同士は、第一部分Ｐｃの外面同士を向き合わせた状態で、起立状態に配される。図示の例では、一方の壁パネルＰの第一部分Ｐｃと他方の壁パネルＰの第一部分Ｐｃとの間に隙間Ｓａが形成されるようになっている（図２、図４、図１８）。
【００２０】
連結部材７は、横断面形状をその長さ方向に沿った各位置においてそれぞれ実質的にチャンネル材状とした長尺材となっている。連結部材７は、その内側に隣り合う壁パネルＰ、Ｐの前記被当接部Ｐｂを同時に受け入れるようにして壁パネルＰの室外側に配される。このように配された状態から、前記締め込み移動操作をすることで、隣り合う壁パネルＰ、Ｐ同士を連結する構成となっている。
【００２１】
第一連結材８は、前記壁パネルＰのパネル面Ｐｆに向き合う主板部１０と、この主板部１０の上下方向に沿った一方縁部から前記壁パネルＰ側に突き出す当接部９と、この主板部１０の上下方向に沿った他方縁部から前記壁パネルＰ側に突き出す補助突き出し部１１とを備えている。この当接部９と補助突き出し部１１との間の水平方向の距離は、前記第二連結材１９の水平方向の幅よりも大きく、これにより、第二連結材１９は第一連結材８の内側において、前記締め込み移動をするようになっている。
【００２２】
第一連結材８の当接部９は、主板部１０に対し直交する向きに壁パネルＰ側に突き出す第一部分９ａと、第一部分９ａの突き出し端との間に屈曲部を作って主板部の中央側に向けて突き出す第二部分９ｂと、第二部分９ｂの突き出し端との間に屈曲部を作って第一部分９ａの根元側に向けて突き出す第三部分９ｃとを備えている。第一連結材８の当接部９は、その第三部分９ｃをもって壁パネルＰの被当接部Ｐｂの第三部分Ｐｅに当接されるようになっている（図４）。
【００２３】
第一連結材８の補助突き出し部１１は、主板部１０に対し直交する向きに壁パネルＰ側に突き出している。補助突き出し部１１の突き出し寸法は、当接部９の第一部分９ａの突き出し寸法よりも小さくなっている。
【００２４】
第二連結材１９は、前記壁パネルＰのパネル面Ｐｆに向き合う主板部２１と、この主板部２１の上下方向に沿った一方縁部から前記壁パネルＰ側に突き出す当接部２０とを備えている。第二連結材１９は、その主板部２１における前記パネル面Ｐｆに向き合う側と反対の外面２４を、第一連結材８の主板部１０における前記パネル面Ｐｆに向き合う内面１４に接しさせた状態で、第一連結材８の当接部９と補助突き出し部１１との間に納められている（図２）。第二連結材１９の当接部２０は第一連結材８の補助突き出し部１１側に位置され、このように位置される第二連結材１９の当接部２０と第一連結材８の当接部９によって連結部材７は実質的にチャンネル材状を呈している。
【００２５】
第二連結材１９の当接部２０は、主板部２１に対し直交する向きに壁パネルＰ側に突き出す第一部分２０ａと、第一部分２０ａの突き出し端との間に屈曲部を作って主板部２１の中央側に向けて突き出す第二部分２０ｂと、第二部分２０ｂの突き出し端との間に屈曲部を作って第一部分２０ａの根元側に向けて突き出す第三部分２０ｃとを備えている。第二連結材１９の当接部２０は、その第三部分２０ｃをもって壁パネルＰの被当接部Ｐｂの第三部分Ｐｅに当接されるようになっている。
【００２６】
図示の例では、第一連結材８に形成されたカム溝１３に、第二連結材１９に固定した摺動部２５を納めることで、第一連結材８に対し第二連結材１９が上下方向に移動可能で、かつ、下方に移動するに従って両前記当接部９、２０間の距離を狭める向きの締め込み移動可能に組み合わされている。
【００２７】
図示の例では、カム溝１３は、溝下端１３ａに近づくに従って当接部９に近づくように形成されている。摺動部２５は、図中符号２５ａで示す頭とカム溝１３を通じて第二連結材１９に止着された図中符号２５ｂで示す足とを持つ。図示の例では、摺動部２５がカム溝１３の溝上端１３ｂ側にあるとき、第二連結材１９の上端２２は第一連結材８の上端１２よりも上方に位置すると共に、両前記当接部９、２０間に抵抗なく隣り合う壁パネルＰ、Ｐの被当接部Ｐｂを同時に導入できるようになっている（図２）。連結部材７の両前記当接部９、２０間に隣り合う壁パネルＰ、Ｐの被当接部Ｐｂを同時に導入した状態（図２）から、摺動部２５がカム溝１３の溝下端１３ａに至るように第二連結材１９を下方に押し込む操作をすると、連結部材７の両前記当接部９、２０間の距離が狭まり、両前記当接部９、２０によって隣り合う壁パネルＰ、Ｐの被当接部Ｐｂを挟み付ける（図４）。すなわち、図示の例では、前記第二連結材１９の下方への押し込み操作が、前記締め込み移動操作となる。この締め込み移動操作の終了状態では、第一連結材８の上端１２のやや上方に第二連結材１９の上端２２が位置されるようになっている（図３）。
【００２８】
なお、図１中、符号２６は第二連結材１９の主板部２１に形成された窓穴、符号２７は第二連結材１９の上端２２側において当接部２０の一部を切り欠いた切り欠き部である。
【００２９】
この実施の形態にかかるクリップ１は、前記締め込み移動操作の終了状態（図３、図４）において、前記連結部材７に、その上端側７ａからはめ込まれて、両前記当接部９、２０間の距離を拡大する向きの前記第二連結材１９の移動を阻止するようになっている。
【００３０】
かかるクリップ１は、前記連結部材７の上端側７ａから前記連結部材７内に入り込んで両前記当接部９、２０間の距離を拡大する向きの前記第二連結材１９の移動を阻止する規制部２と、前記連結部材７側に形成された被係合部１７に対する係合部３とを備えている。
【００３１】
また、かかるクリップ１は、前記はめ込み状態において第二連結材１９の上端２２上に位置される頭部４を備えている。
【００３２】
また、かかるクリップ１は、前記はめ込み状態において前記第一連結材８の外面１５（壁パネルＰに向き合う前記内面１４と反対の側）側に位置される基部５を備えている。
【００３３】
また、前記はめ込み状態において前記規制部２は前記第一連結材８の内面１４側に位置されるようになっている。
【００３４】
また、かかるクリップ１は、前記はめ込み状態において、前記規制部２との間に前記第二連結材１９を位置させるようにした状態で、前記第一連結材８の内面１４側に位置される脚部６を備えている。
【００３５】
また、前記係合部３は、前記基部５に備えられている。
【００３６】
図示の例では、頭部４は、実質的に長方形の板状を呈している。頭部４の長さは、第一連結材８の当接部９と補助突き出し部１１との間の距離よりも大きくなっている。
【００３７】
頭部４の幅方向の中程の位置を通って頭部４を壁パネルＰ側とその反対の側とに二分する仮想の直線ｘ（図８、図１０参照）を挟んだ壁パネルＰ側に前記規制部２が備えられ、その反対の側に前記基部５が備えられている。
【００３８】
基部５は、上辺を頭部４の下面４ａに一体に連接させた四角形の板状を呈している。基部５は、頭部４から垂下し、頭部４の下面４ａに対し基部５の前面５ｂ（壁パネルＰに向けられる側の面）は直交している。基部５の左右寸法は頭部４の長さ寸法よりも小さく、基部５の左辺５ｃと頭部４の左端４ｂとの間、および、基部５の右辺５ｄと頭部４の右端４ｃとの間にはそれぞれ、間隔が形成されている。基部５の上下寸法は、頭部４の左右寸法よりも小さくなっている。
【００３９】
規制部２は、上端を頭部４の下面４ａに一体化させて、頭部４から垂下される棒状を呈している。規制部２の突き出し寸法は、基部５の上下寸法よりもやや小さい。図示の例では、規制部２は、前記仮想の直線ｘを挟んだ壁パネルＰ側であって、かつ、基部５の右辺５ｄと頭部４の右端４ｃとの間となる位置から鉛直方向に突き出している。規制部２と、基部５の前面５ｂとの間の距離ｙ（図１２参照）は、第一連結材８の主板部１０の厚さと略等しいか、これよりやや大きくなっている。また、図示の例では、規制部２は、その下端から突き出し方向中程の位置までの間において、下端に向かうに連れて規制部２の太さを漸減させる傾斜面２ａを、基部５の右辺５ｄに隣接した側部に備えている。
【００４０】
脚部６は、上端を頭部４の下面に一体化させて、頭部４から垂下される棒状を呈している。脚部６の突き出し寸法は、規制部２の突き出し寸法と実質的に等しくなっている。図示の例では、脚部６は、前記仮想の直線ｘを挟んだ壁パネルＰ側であって、かつ、基部５の左辺５ｃと頭部４の左端４ｂとの間となる位置から鉛直方向に突き出している。脚部６と、基部５の前面５ｂとの間の距離ｚ（図１１参照）は、第一連結材８の主板部１０の厚さと略等しいか、これよりやや大きくなっている。
【００４１】
そして、図示の例では、規制部２と脚部６との距離が、第二連結材１９の主板部２１の左右寸法（幅寸法）と実質的に等しいか、これよりやや大きくなっている。
【００４２】
これにより、この実施の形態にあっては、前記締め込み移動操作の終了状態（図４）において、前記連結部材７にクリップ１を、連結部材７の上端側７ａから、クリップ１の基部５が第一連結材８の外面１５側に位置し、かつ、規制部２が第二連結材１９の当接部２０における壁パネルＰの側端部Ｐａ（被当接部Ｐｂ）への当接側と反対の側に位置されるように、はめ込むことができるようになっている（図１８）。図示の例では、締め込み移動操作の開始前は、第一連結材８の補助突き出し部１１と第二連結材１９の当接部２０の第一部分２０ａとの間には隙間はないが（図２）、締め込み移動操作の終了状態においては両者間に規制部２を上方から入れ込み可能とする隙間Ｓｂが形成されるようになっている（図４）。そして、この隙間Ｓｂに前記規制部２が上方から差し込まれ、かつ、第一連結材８の当接部９の第一部分９ａと第二連結材１９の主板部２１の他方縁部（当接部が形成された一方縁部と反対の側の縁部）との間の隙間Ｓｃに前記脚部６が上方から差し込まれるようになっている。前記規制部２の傾斜面２ａによって規制部２の前記差し込みをスムースに行えるようになっている。
【００４３】
また、このはめ込み状態において、クリップ１の脚部６は、第二連結材１９の主板部２１における上下方向に沿った他方縁部と第一連結材８の当接部９の第一部分との間に納まるようになっている（図１８）。
【００４４】
そして、このはめ込み状態を、この実施の形態にあっては、クリップ１の基部５に形成された係合部３を連結部材７側に形成された被係合部３に係合させることで、維持するようになっている。これにより、連結部材７における両前記当接部９、２０間の距離を拡大する向きの前記第二連結材１９の移動は抑止され、連結部材７を介した隣り合う壁パネルＰ、Ｐ同士の連結状態は安定的に維持される。
【００４５】
この実施の形態にあっては、前記係合部３は弾性片５ｋに形成されていると共に、前記弾性片５ｋに上方からの前記弾性片５ｋの弾性変形操作を可能とする操作片５ｍを備えさせてなる。
【００４６】
図示の例では、基部５の中央には、上辺５ａにおいて溝端を上方に開放させて下方に延びる左側割溝５ｅと、上辺において溝端を上方に開放させて下方に延びる右側割溝５ｆとによって、帯板片部５ｇが区分形成されている。基部５の前面５ｂ側において、帯板片部５ｇの上下方向中程の位置には、上方に向いた段差５ｈが形成されている。この段差５ｈと帯板片部５ｇの下端との間には段差５ｈに近づくに連れて高まる傾斜面５ｉが形成されており、段差５ｈと傾斜面５ｉとの間に頂部５ｊが形成されている。また、前記頭部４には、帯板片部５ｇの上端を納める割欠き部４ｄが形成されている。図示の例では、連結部材７に前記のようにクリップ１をはめ込み操作する過程で、前記帯板片部５ｇの傾斜面５ｉが第一連結材８の外面１５に接し帯板片部５ｇが壁パネルＰから離れる向きに弾性変形するようになっている。第一連結材８には、その上端１２側に前記帯板片部５ｇの頂部５ｊを入り込ませる大きさの貫通穴１６が形成されている。クリップ１が連結部材７に対しこの貫通穴１６に頂部５ｊを入り込ませる位置まではめ込まれると、帯板片部５ｇが弾性復帰されて貫通穴１６の上縁に前記段差５ｈが引っかかる（図１６）。これにより、クリップ１の連結部材７へのはめ込み状態が安定的に維持される。連結部材７からクリップ１を取り外す必要が生じた場合は、頭部４の割欠き部４ｄ内に位置される帯板片部５ｇの上端を利用して帯板片部５ｇを壁パネルＰから離れる向きに弾性変形させ前記貫通穴１６への前記段差５ｈの引っかかりを解けば良い。すなわち、この実施の形態にあっては、前記帯板片部５ｇが前記弾性片５ｋとして機能し、前記段差５ｈが前記係合部３として機能し、前記貫通穴１６が前記被係合部３として機能し、前記帯板片部５ｇにおける段差５ｈと上端との間が前記操作片５ｍとして機能するようになっている。図示の例では、段差５ｈの上方には、この段差５ｈとの間に第一連結材８の上端１２と貫通穴１６の上縁との間の距離と実質的に等しい距離を開けて、突起５ｏが形成されており、貫通穴１６に段差５ｈを係合させた状態において、段差５ｈと突起５ｏとの間に第一連結材８の上端１２と貫通穴の上縁との間に位置される箇所１８が納まるようになっている。
【００４７】
また、図示の例では、基部５の前面５ｂであって、前記左側割溝５ｅの左側と、前記右側割溝５ｆの右側とにそれぞれ、前記被係合部３としての貫通穴１６に係合部３としての段差５ｈが引っかかった係合状態において第一連結材８の上端１２に当接される下方に向いた段差５ｎが形成されている。
【００４８】
第二連結材１９の締め込み移動操作を終了した連結部材７に対するクリップ１のはめ込み状態において、前記頭部４は第二連結材１９の上端２２上に位置することから、クリップ１によって第二連結材１９の上下方向のがたつきも抑止できる。
【００４９】
壁パネルＰから構成されるユニットルームの補修や解体などに際しては前記操作片５ｍを利用してクリップ１と連結部材７との係合を容易に解いて連結部材７からクリップ１を取り外すことができ、これにより、連結部材７による壁パネルＰ同士の連結状態も容易に解除できる。
【００５０】
以上に説明したクリップ１における弾性変形特性を備えるべき部分へのこの特性の付与は、かかるクリップ１を合成樹脂の成形品とすることで、容易に確保することができる。
【００５１】
なお、当然のことながら、本発明は以上に説明した実施態様に限定されるものではなく、本発明の目的を達成し得るすべての実施態様を含むものである。
【符号の説明】
【００５２】
Ｐ  壁パネル
Ｐａ  側端部
１  クリップ
２  規制部
３  係合部
７  連結部材
８  第一連結材
９  当接部
１９  第二連結材
２０  当接部
【図１】
2020084627.tif 000003
【図２】
2020084627.tif 000004
【図３】
2020084627.tif 000005
【図４】
2020084627.tif 000006
【図５】
2020084627.tif 000007
【図６】
2020084627.tif 000008
【図７】
2020084627.tif 000009
【図８】
2020084627.tif 000010
【図９】
2020084627.tif 000011
【図１０】
2020084627.tif 000012
【図１１】
2020084627.tif 000013
【図１２】
2020084627.tif 000014
【図１３】
2020084627.tif 000015
【図１４】
2020084627.tif 000016
【図１５】
2020084627.tif 000017
【図１６】
2020084627.tif 000018
【図１７】
2020084627.tif 000019
【図１８】
2020084627.tif 000020